(57)【要約】【課題】御堂形の形状で観音開きの扉が１８０°程度に大きく開き、開閉時や時間の経過による扉周りからの雨水の浸入を確実に防ぐ墓石を提供する。【解決手段】土台となる根太石１２と、根太石１２の上に内部空間を有する側面をコの字形に組み立てる腰石２８と、腰石２８の上に設置された屋根板４８とから成る。腰石２８の内部空間に設けられ腰石２８で組み立てられた側面の開口部２９を向いた祭壇５４と、開口部２９の表側に開閉可能に取り付けられた扉５８，６２とを有する。腰石２８は、扉５８，６２の回動部内側で回動軸方向に当接し腰石２８内部を水密状態に維持するパッキン３６，４２を備える。パッキン３６，４２は、腰石２８に対して着脱自在に設けられ、腰石２８とは別体の押さえ部材３８，４４により固定される。【選択図】      図１
2004293194.tif 000002
【特許請求の範囲】
【請求項１】
土台となる根太石と、上記根太石の上に内部空間を有する側面をコの字形に組み立てる腰石と、上記腰石の上に設けられた屋根板と、上記腰石の内部空間に設けられ上記腰石で組み立てられた側面の開口部を向いた祭壇と、上記腰石で組み立てられた側面の一部に形成され上記根太石に連通する開口部と、上記開口部の表側に開閉可能に取り付けられた扉と、上記腰石に設けられ上記扉の回動部内側で回動軸方向に当接し上記腰石内部を水密状態に維持するパッキンが設けられていることを特徴とする墓石。
【請求項２】
上記パッキンは、上記腰石に対して着脱自在に設けられ、上記腰石とは別体の押さえ部材により固定されていることを特徴とする請求項１記載の墓石。
【請求項３】
上記扉には下方向に突出する軸部が設けられ、上記根太石には上記軸部が回転可能に嵌合されるホゾ部が設けられ、上記ホゾ部の底部には上記根太石の内側を貫通して外側へ連通する排水口が設けられていることを特徴とする請求項１記載の墓石。
【請求項４】
上記根太石の上面には、上記扉の締め位置に、上記扉の内側に当接する立ち上がり片である防水部が設けられ、上記防水部の外側には、防水部から離れ上記根太石の端部に向かって下降する排水用の傾斜面が設けられていることを特徴とする請求項１記載の墓石。
【発明の詳細な説明】
【０００１】
【発明の属する技術分野】
この発明は、御堂形に設けられた墓石に関する。
【０００２】
【従来の技術】
【特許文献１】特開平１０−８８８６４号公報
従来、墓石は、土台をなす根太石の上に腰石によりコの字形に側面が組み立てられ、正面が開口部となり、開口部の縦方向の縁部には柱状の方立が設けられている。腰石内部は納骨室となっており、納骨室の上に石塔が設けられている。石塔の前には、花香燭台が設けられている。このような納骨室の開口部は、例えば富山県や九州、その他一部地方に見られるように観音開きの２枚扉が設けられているものがある。観音開きの扉は、扉の縦方向の一側縁部が、方立の後側つまり納骨室の内側に、方立に対して平行に軸止されている。これにより、納骨室に遺骨を収納するき、一対の扉を開けて入れることができる。
【０００３】
【発明が解決しようとする課題】
従来の墓石は、根太石等各部材をセメントで接着固定しているため、雨水が進入するとセメントの周囲に付着してセメントを侵食し、セメントの接着力を低下させ、さらに強風や地震等の外的な力により倒壊する恐れがあるという問題を有していた。また雨水がセメントの内部に浸入すると、水の凍結により体積が膨張し、セメントと石を剥離させるため、強風や地震等の外的な力により倒れやすくなるものであった。また、上記従来のように納骨室に観音開きの扉が設けられている場合、扉と方立の間隔は、扉の開閉に支障がないように所定幅の隙間が設けられているが、扉が方立の内側に位置しているためこの隙間から雨が納骨室に入ることがない。しかし扉を開けるときは、両脇に方立があるため、方立までの９０°しか開かず、納骨室への出し入れが不便であり、また納骨室の内側の様子をみることが困難であった。開放時における美観もあまり良くなかった。
【０００４】
また、従来のお墓は保管場所が納骨室しかなく、お参りするときに手軽に遺影や遺品を飾る場所が少なかった。
【０００５】
この発明は上記従来の問題点に鑑みてなされたものであり、御堂形の形状で観音開きの扉が１８０°程度に大きく開き、開閉時や時間の経過による扉周りからの雨水の浸入を確実に防ぐ墓石を提供することを目的とする。
【０００６】
【課題を解決するための手段】
この発明は、土台となる根太石と、上記根太石の上に内部空間を有する側面をコの字形に組み立てる腰石と、上記腰石の上に設置された屋根板が設けられた墓石であり、上記腰石の内部空間に設けられ上記腰石で組み立てられた側面の開口部を向いた祭壇と、上記開口部の表側に開閉可能に取り付けられた扉と、上記腰石に設けられ上記扉の回動部内側で回動軸方向に当接し上記腰石内部を水密状態に維持するパッキンが設けられている。上記パッキンは、上記腰石に対して着脱自在に設けられ、上記腰石とは別体の押さえ部材により固定されている。
【０００７】
また、上記扉には下方向に突出する軸部が設けられ、上記根太石には上記軸部が回転可能に嵌合されるホゾ部が設けられ、扉が１８０°程度に大きく開く。上記ホゾ部の底部には、上記根太石の内側を貫通して外側へ連通する排水口が設けられている。
【０００８】
また、上記根太石の上面には、上記扉の締め位置に、上記扉の内側に当接する立ち上がり片である防水部が設けられ、上記防水部の外側には、防水部から離れ上記根太石の端部に向かって下降する排水用の傾斜面が設けられている。
【０００９】
この発明の墓石は、扉が１８０°に大きく開くため、開放感があり、収容物の出し入れが容易である。扉の内側には、祭壇が設けられ、供物や遺品、遺影などを飾ることができる。扉は、腰石のパッキンと防水部に当接し、確実に雨水の進入を防ぐ。扉に当たって落下した雨水は、根太石の傾斜面を伝って外側に落下し、排水され、根太石のホゾ部に溜まった雨水は、排水口を通過して外側に排水される。
【００１０】
【発明の実施の形態】
以下、この発明の実施形態について図面に基づいて説明する。図１〜図４は、この発明の一実施形態を示すものであり、この実施形態の墓石１０は、土台となる根太石１２が地面に設置されている。根太石１２は、墓石１０の正面に位置する正面部材１４と、墓石１０の背面に位置し正面部材１４と平行で同じ長さである背面部材１６と、正面部材１４と背面部材１６の間に互いに平行に位置する一対の側面部材１８，２０により枠状に形成されている。
【００１１】
根太石１２の正面部材１４の上面１４ａには、両端部より少し内側に後述する扉５８，６２の軸部６０，６４が回転可能に嵌合されるホゾ部２２が各々設けられている。ホゾ部２２は、所定深さに形成された円筒状の凹部である。ホゾ部２２の底部２２ａには、排水口２４が設けられ、排水口２４は、正面部材１４の内側を下方に延出し、所定位置で外方へ折り曲げられて正面部材１４の長手方向の一対の端面１４ｂに各々連通し、開口されている。正面部材１４の、上面１４ａのほぼ中央には、外側に傾斜する傾斜面２６が設けられている。傾斜面２６の、内側端部２６ａ付近には、上面１４ａに対してほぼ直角に上方に立設される防水部２７が、正面部材１４の長手方向に沿って形成されている。
【００１２】
根太石１２の上には、内部空間を有する墓石１０の側面をコの字形に組み立てる腰石２８が設けられている。腰石２８で組み立てられた側面の一部に形成された開口部２９は、根太石１２の正面部材１４の上に位置している。腰石２８は、根太石１２の一対の側面部材１８，２０に載せられた一対の側面部材３０，３２と、側面部材３０，３２の間に設けられ根太石１２の背面部材１６に載せられた背面部材３４が設けられている。
【００１３】
腰石２８の側面部材３０の、開口部２９側の端面３０ａには、他方の側面部材３２に近い部分に、パッキン３６が腰石２８の上下方向に貫通して設けられている。パッキン４２は、後述する扉５８の回動部内側に対して回動軸方向に当接し、腰石２８内部を水密状態に維持するもので、例えば化学繊維、合成樹脂、ゴム等で作られている。パッキン３６の側面部材３２に近い側面は、板状の押さえ部材３８で押さえられ、押さえ部材３８にはボルト挿通口が形成され、ボルト４０で側面部材３０に固定されている。パッキン３６の先端は、側面部材３０の端面３０ａまたは押さえ部材３８よりもわずかに突出している。
【００１４】
そして、腰石２８の側面部材３２の、開口部２９側の端面３２ａには、側面３０に近い部分にパッキン４２が腰石２８の上下方向に貫通して設けられている。パッキン４２は、上述のパッキン３６と同様の部材で、後述する扉６２の回動部内側に対して回動軸方向に当接し、腰石２８内部を水密状態に維持する。パッキン４２の側面部材３０に近い側面は、押さえ部材４４で押さえられ、押さえ部材４４にはボルト挿通口が形成され、ボルト４６で側面部材３２に固定されている。パッキン４２の先端は、側面部材３２の端面３２ａまたは押さえ部材４４よりもわずかに突出している。
【００１５】
腰石２８の上には、石製の屋根板４８が設けられている。屋根板４８は四角錐状であり中央が高くなり、中央の頂点には飾り５０が一体に形成されている。屋根板４８の下面には、根太石１２正面部材１４の一対のホゾ部２２に対向する図示しない一対のホゾ部が形成されている。屋根板４８、開口部２９側端縁部には、腰石２８の側面部材３０，３２に連結して飾り部５１が取り付けられている。腰石２８と屋根板４８で囲まれた空間は収容部５２となり、三段の祭壇５４が設けられている。祭壇５４の最下段の側面には両開きの扉５５が設けられ、内側に小さい収容空間５６が設けられている。
【００１６】
腰石２８の側面部材３０，３２の前には、一対の石製の扉５８，６２が取り付けられている。扉５８の縦方向に位置する一側縁部には扉５８の厚みよりも径が大きい円柱状の回動部である取付部５９が側縁部に沿って一体に形成されている。取付部５９の上下端部には取付部５９の同心円である円柱状の軸部６０が上下方向に突出して突出して設けられ、下の軸部６０は根太石１２正面部材１４のホゾ部２２に、上の軸部６０は屋根板４８のホゾ部に、回転可能に嵌合されている。扉６２も同様に、一側縁部には円柱状の回動部である取付部６３が側縁部に沿って一体に形成されている。取付部６３の上下端部には取付部６３の同心円である円柱状の軸部６４が上下方向に突出して設けられ、下の軸部６４は根太石１２の正面部材１４のホゾ部２２に、上の軸部６４は屋根板４８のホゾ部に回転可能に嵌合されている。扉５８，６２の取付部５９，６３と反対側の各側縁部には、扉５８，６２を開閉するための持ち手が設けられている。
【００１７】
次にこの墓石１０の作用効果について説明する。扉５８，６２を開口部２９に閉じたときは、扉５８，６２の下端部は根太石１２正面部材１４の、防水部２７の外側面に当接し、正面からの雨の浸入を防ぐ。防水部２７または扉５８，６２の正面に当たって落下した雨水は、根太石１２正面部材１４の、傾斜面２６を伝って外側に落下し、排水される。また、扉５８，６２を開口部２９に閉じた状態では、腰石２８の側面部材３０，３２のパッキン３６，４２が、扉５８，６２の取付部５９，６３近傍に当接し、水密状態となる。このため、腰石２８と扉５８，６２との境目に当たる横からの雨水も進入を防ぐ。腰石２８と扉５８，６２との境目に当たった雨は、パッキン３６，４２を伝って流れ落ち、根太石１２正面部材１４のホゾ部２２に溜まり、排水口２４を通過して外側に排水される。
【００１８】
墓石１０の扉５８，６２を開けるときは、方立など支障となるものがなく、１８０°に大きく開くため、開放感があり、収納物の出し入れが容易である。墓石１０の収容部５２には、祭壇５４が設けられ、供物や遺品、遺影などを飾る。収納空間５６には、遺骨等大切なものを収納する。
【００１９】
この発明の墓石１０によれば、簡単な構造で、防水性が高い御堂形とすることができる。扉５８，６２と根太石１２の間には防水部２７が、また扉５８，６２と腰石２８の間にはパッキン３６，４２が設けられているため、雨水が進入することを防ぎ、セメントの侵食や凍結による破損を防ぎ、墓石１０の耐久性を高めることができる。また、雨の他に風やホコリの侵入も防ぐため、祭壇５４に置いた遺品や供物が汚れたり倒れたりせず、安全で衛生的である。防水部２７または扉５８，６２の正面に当たって落下した雨水は、根太石１２正面部材１４の、傾斜面２６を伝って外側に落下し、排水される。また、根太石１２の一対のホゾ穴２２には排水口２４が設けられているため、パッキン３６，４２を伝ってホゾ穴２２流れた雨水は排水口２４を通過して確実に排水される。ホゾ穴２２よりも扉５８，６２の取付部５９，６３が大きいため、ホゾ穴２２内の傷みや汚れが隠されて外観がすっきりとしたものとなる。パッキン３６，４２は、押さえ部材３８，４４でボルトを介して取り付けられているため、パッキン３６，４２が老朽化したときは簡単に交換することができる。扉５８，６２は、腰石２８の開口部２９の前に取り付けられているため、１８０°に開くことができ、外観が良く、また収容物の出し入れが容易で、祭壇５４のメンテナンスも簡単に行うことができる。
【００２０】
また、墓石１０は今までの墓石と異なり、外観から宗教や誰のお墓なのかがわからないようになっているため、さまざまな宗教に対応でき、また心理的抵抗が軽減される。本人、もしくは親族が改宗しても手で持てる程度の一部分だけを変えることで対応することができる。従来の墓石はトボ（竿石：人間の手で持つのは不可能）を交換する必要があり、多大に経費や労力を要するが、これが解消される。御堂形であるため、遺品（写真など）の管理、保管がしやすく、墓参者がそれぞれ思いに合った形式でお参りしやすくなっている。
【００２１】
なお、この発明は上記実施形態に限定されるものではなく、祭壇、屋根板、飾り、扉などの形状は、自由に変更可能でありいろいろなデザインにすることができる。
【００２２】
【発明の効果】
この発明の墓石は、簡単な構造で防水性が高く、両開きの扉を有する御堂形とすることができる。特に扉は大きく開くことができ、内側の祭壇に遺品を収納することもできる。従って、お参りするときに手軽にいろいろなものを飾る場所があり便利である。そして、開閉時や時間の経過によっても、扉周りからの雨水の浸入を確実に防止することができるものである。
【図面の簡単な説明】
【図１】この発明の一実施形態の墓石を示す斜視図である。
【図２】この実施形態の墓石を示す横断面図である。
【図３】この実施形態の墓石の根太石を示す正面図である。
【図４】この実施形態の墓石の根太石を示す右側面図である。
【符号の説明】
１０  墓石
１２  根太石
１４  正面部材
１６，３４  背面部材
１８，２０，３０，３２  側面部材
２２  ホゾ部
２４  排水口
２６  傾斜面
２８  腰石
２９  開口部
３６，４２  パッキン
３８，４４  押さえ部材
４８  屋根板
５０  飾り
５２  収容部
５４  祭壇
５６  収容空間
５８，６２  扉
５９，６３  取付部
６０，６４  軸部
【図１】
2004293194.tif 000003
【図２】
2004293194.tif 000004
【図３】
2004293194.tif 000005
【図４】
2004293194.tif 000006